(57)【要約】【課題】チャージポンプ回路から余分な電圧が出力されてしまうため、エネルギー損失が大きい。【解決手段】定電流制御回路１４が出力する出力電圧値を取得し、この出力電圧値が所定の設定電圧値以上であるか否かを判別する。ここで、同出力電圧値が所定の設定電圧値以上であると判別した場合は、イネーブル信号Ｅをオフにして、Ｌレベルにすることによって、チャージポンプ回路１３ｂの昇圧動作を非動作状態に制御する。一方、同出力電圧値が所定の設定電圧値未満であると判別した場合、イネーブル信号Ｅをオンにして、Ｈレベルにすることによって、チャージポンプ回路１３ｂの昇圧動作を動作状態に制御することにより、消費電力を低減することを可能にする。【選択図】  図６
2004166342.tif 000002
【特許請求の範囲】
【請求項１】
少なくとも二つの第１コンデンサおよび第２コンデンサを有し、電源より上記第１コンデンサを充電する充電動作と同第１コンデンサの充電電荷を上記第２コンデンサに移動する移動動作とを交互に行って電源電圧を昇圧する昇圧動作および同昇圧された電源電圧を出力する出力動作を実行可能なチャージポンプ回路と、
上記チャージポンプ回路に接続されて動作する負荷に対して定電流を供給可能な定電流制御回路と、
上記定電流制御回路の出力電圧を検出する出力電圧検出回路と、
上記検出された出力電圧が所定電圧値以上である場合に上記チャージポンプ回路の昇圧動作を非動作状態に制御する動作制御回路とを具備することを特徴とする電源制御回路。
【請求項２】
上記負荷が作動状態であるか非作動状態であるか否かを判別する負荷作動状態判別回路を有し、上記動作制御回路は、上記負荷作動状態判別回路にて負荷が非作動状態であると判別された場合に上記チャージポンプ回路の昇圧動作を非動作状態に制御することを特徴とする上記請求項１に記載の電源制御装置。
【請求項３】
上記チャージポンプ回路が出力する電源電圧を検出する電源電圧検出回路を有し、上記動作制御回路は、上記負荷作動状態判別回路にて負荷が非作動状態であると判別されるとともに、上記電源電圧検出回路にて検出された電源電圧が所定電圧値以上である場合に上記チャージポンプ回路の昇圧動作を非動作状態に制御することを特徴とする上記請求項２に記載の電源制御装置。
【請求項４】
上記チャージポンプ回路の電源電圧を入力して動作する負荷は、ＬＥＤにて形成されることを特徴とする上記請求項１〜請求項３のいずれかに記載の電源制御装置。
【請求項５】
上記動作制御回路は、上記所定電圧値を変更可能に形成されることを特徴とする上記請求項１〜請求項４のいずれかに記載の電源制御装置。
【請求項６】
上記動作制御回路は、上記負荷付近における周囲温度を測定する温度測定回路を有し、同温度測定回路にて測定された温度に基づいて上記所定電圧値を変更することを特徴とする上記請求項５に記載の電源制御装置。
【請求項７】
上記動作制御回路は、上記負荷に印加されている負荷電圧を検出する負荷電圧検出回路を有し、同負荷電圧検出回路にて検出された負荷電圧に基づいて上記所定電圧値を変更することを特徴とする上記請求項５に記載の電源制御装置。
【請求項８】
少なくとも二つの第１コンデンサおよび第２コンデンサを有し、電源より上記第１コンデンサを充電する充電動作と同第１コンデンサの充電電荷を上記第２コンデンサに移動する移動動作とを交互に行って電源電圧を昇圧する昇圧動作および同昇圧された電源電圧を出力する出力動作を実行可能なチャージポンプ回路の上記昇圧動作の動作状態を制御する電源制御方法であって、
上記チャージポンプ回路に接続されて動作する負荷に対して定電流を供給する定電流制御工程と、
上記定電流制御回路が出力する出力電圧を検出する出力電圧検出工程と、
上記検出された出力電圧が所定電圧値以上である場合に上記チャージポンプ回路の昇圧動作を非動作状態に制御する動作制御工程とを具備することを特徴とする電源制御方法。
【発明の詳細な説明】
【０００１】
【発明の属する技術分野】
本発明は、電源制御装置および電源制御方法に関し、特に、チャージポンプ回路から出力される電源電圧を制御する電源制御装置および電源制御方法に関する。
【０００２】
【従来の技術】
チャージポンプ回路を利用した装置としては、このチャージポンプ回路に負荷としてＬＥＤを接続した液晶ディスプレイ装置の液晶バックライト制御装置が知られている。この場合、ＬＥＤに一定の電流を供給するため、定電流制御回路がチャージポンプ回路とＬＥＤとを接続する経路に接続されている。この定電流制御回路は、チャージポンプ回路から出力される電源電圧の所定電圧範囲にて動作しつつ、ＬＥＤに流れる電流を一定に制御する（例えば、非特許文献１参照。）。
【０００３】
【非特許文献１】
米ナショナルセミコンダクター社の製品：ＬＭ２７９４のデータシート［平成１４年１０月２２日検索］インターネット＜ＵＲＬ：ｈｔｔｐ：／／ｗｗｗ．ｎａｔｉｏｎａｌ．ｃｏｍ／ｄｓ／ＬＭ／ＬＭ２７９４．ｐｄｆ＞
【０００４】
【発明が解決しようとする課題】
上述した従来の技術において、チャージポンプ回路は、定電流制御回路が動作する所定電圧範囲にかかわらず、最大条件にて動作し、負荷であるＬＥＤに対して電源電圧を供給する。しかし、ＬＥＤを動作させるに際しては、定電流制御回路が動作する所定電圧範囲以上の電圧は余分であり、この余分な電圧はエネルギー損失となってしまうといった課題があった。
【０００５】
本発明は、上記課題にかんがみてなされたもので、上述したエネルギー損失を低減させることによって、消費電力を低下させることが可能な電源制御装置および電源制御方法の提供を目的とする。
【０００６】
【課題を解決するための手段】
上記目的を達成するため、請求項１にかかる発明は、少なくとも二つの第１コンデンサおよび第２コンデンサを有し、電源より上記第１コンデンサを充電する充電動作と同第１コンデンサの充電電荷を上記第２コンデンサに移動する移動動作とを交互に行って電源電圧を昇圧する昇圧動作および同昇圧された電源電圧を出力する出力動作を実行可能なチャージポンプ回路と、上記チャージポンプ回路に接続されて動作する負荷に対して定電流を供給可能な定電流制御回路と、上記定電流制御回路が出力する出力電圧を検出する出力電圧検出回路と、上記検出された出力電圧が所定電圧値以上である場合に上記チャージポンプ回路の昇圧動作を非動作状態に制御する動作制御回路とを具備する構成としてある。
【０００７】
上記のように構成した請求項１にかかる発明においては、少なくとも二つの第１コンデンサおよび第２コンデンサを備えたチャージポンプ回路にて、電源より第１コンデンサを充電する充電動作と同第１コンデンサの充電電荷を第２コンデンサに移動する移動動作とを交互に行って電源電圧を昇圧する昇圧動作および同昇圧された電源電圧を出力する出力動作を実行可能にする。また、定電流制御回路を備えさせ、チャージポンプ回路に接続されて動作する負荷に対して定電流を供給可能にする。そして、出力電圧検出回路にて定電流制御回路が出力する出力電圧を検出し、動作制御回路にて検出された出力電圧が所定電圧値以上である場合にチャージポンプ回路の昇圧動作を非動作状態に制御する。
【０００８】
このように、定電流制御回路が出力する出力電圧が所定電圧値以上となりチャージポンプ回路の昇圧動作が非動作状態となった場合、チャージポンプ回路は第１コンデンサに対する充電動作およびこの第１コンデンサの充電電荷を第２コンデンサに移動させる移動動作、すなわち、昇圧動作を中断する。従って、かかる場合、チャージポンプ回路は、第２コンデンサに移動された充電電荷によって電源電圧を出力する出力動作を実行するのみとなる。一方、当該出力電圧が所定電圧値未満となった場合、チャージポンプ回路は昇圧動作を再開する。このように、定電流制御回路に対する出力電圧の電圧値に基づいて、チャージポンプ回路での昇圧動作を動作状態および非動作状態に制御することによって、チャージポンプ回路から定電流制御回路に対して出力される電源電圧を抑制することが可能となり、当該チャージポンプ回路から余分な電源電圧が出力されることを回避できる。これにより、消費電力を低下させることが可能になる。
【０００９】
チャージポンプ回路に接続されて動作する負荷が非作動状態の場合、この負荷に電流が流れない。従って、定電流制御回路が出力する出力電圧は低下して０になる。このとき、出力電圧は所定電圧値以上になることはないため、チャージポンプ回路は常に動作状態となる。しかし、負荷が非作動状態である場合は、チャージポンプ回路から電荷を出力する必要はない。そこで、請求項２にかかる発明は、上記請求項１に記載の電源制御装置において、上記負荷が作動状態であるか非作動状態であるか否かを判別する負荷作動状態判別回路を有し、上記動作制御回路は、上記負荷作動状態判別回路にて負荷が非作動状態であると判別された場合に上記チャージポンプ回路の昇圧動作を非動作状態に制御する構成としてある。
上記のように構成した請求項２にかかる発明においては、上記負荷が作動状態であるか非作動状態であるか否かを判別する負荷作動状態判別回路を有し、上記動作制御回路は、上記負荷作動状態判別回路にて負荷が非作動状態であると判別された場合に上記チャージポンプ回路の昇圧動作を非動作状態に制御する。
【００１０】
ここで、負荷が非作動状態の場合、定電流制御回路の出力電圧は０になる。従って、チャージポンプ回路は電源電圧を上昇させようとする。このため、負荷が非作動状態の場合、チャージポンプ回路が出力する電源電圧を制御することができると、消費電力を低下させることができて好適である。そこで、請求項３にかかる発明は、上記請求項２に記載の電源制御装置において、上記チャージポンプ回路が出力する電源電圧を検出する電源電圧検出回路を有し、上記動作制御回路は、上記負荷作動状態判別回路にて負荷が非作動状態であると判別されるとともに、上記電源電圧検出回路にて検出された電源電圧が所定電圧値以上である場合に上記チャージポンプ回路の昇圧動作を非動作状態に制御する構成としてある。上記のように構成した請求項３にかかる発明においては、動作制御回路にてチャージポンプ回路の昇圧動作を非動作状態に制御するに際し、負荷作動状態判別回路にて負荷が非作動状態であると判別されるとともに、電源電圧検出回路にて検出された電源電圧が所定電圧値以上である場合に当該チャージポンプ回路の昇圧動作を非動作状態に制御する。
【００１１】
上述してきたチャージポンプ回路に接続される負荷として採用して好適な一例として、請求項４にかかる発明は、上記請求項１〜請求項３のいずれかに記載の電源制御装置において、上記チャージポンプ回路の電源電圧を入力して動作する負荷は、ＬＥＤにて形成される構成としてある。
上記のように構成した請求項４にかかる発明においては、チャージポンプ回路の電源電圧を入力して動作する負荷をＬＥＤにて形成する。かかる場合、ＬＥＤの発光色は特に限定されるものではない。例えば、本電源制御装置を液晶バックライト制御装置に適用する場合は、ＬＥＤとして白色ＬＥＤを採用すると好ましい。
【００１２】
また、上述した所定電圧値を適宜変更できると好適である。そこで、請求項５にかかる発明は、上記請求項１〜請求項４のいずれかに記載の電源制御装置において、上記動作制御回路は、上記所定電圧値を変更可能に形成される構成としてある。
上記のように構成した請求項５にかかる発明においては、動作制御回路が定電流制御回路の出力する出力電圧が所定電圧値以上であるか否かを判別するする際の判別基準となる所定電圧値を変更可能に形成する。
【００１３】
上述した負荷は外部要因、例えば、周囲温度によって、定電流で駆動した場合に印加電圧が変動する場合がある。かかる場合、この変動に対応して電源電圧に対する所定電圧値も変動する。そこで、請求項６にかかる発明は、上記請求項５に記載の電源制御装置において、上記動作制御回路は、上記負荷付近における周囲温度を測定する温度測定回路を有し、同温度測定回路にて測定された温度に基づいて上記所定電圧値を変更するする構成としてある。
上記のように構成した請求項６にかかる発明においては、動作制御回路に負荷付近における周囲温度を測定する温度測定回路を備えさせる。そして、動作制御回路は、この温度測定回路にて測定された温度に基づいて所定電圧値を変更する。これによって、負荷が配置された状況に適したチャージポンプ回路の動作制御を実行することが可能になる。
【００１４】
むろん、負荷に印加される電圧値を直接計測し、この電圧値に基づいて所定電圧値を変更するようにしても良い。そこで、請求項７にかかる発明は、上記請求項５に記載の電源制御装置において、上記動作制御回路は、上記負荷に印加されている負荷電圧を検出する負荷電圧検出回路を有し、同負荷電圧検出回路にて検出された負荷電圧に基づいて上記所定電圧値を変更する構成としてある。
上記のように構成した請求項７にかかる発明においては、動作制御回路に負荷電圧を検出する負荷電圧検出回路を備えさせる。そして、動作制御回路は、この負荷電圧検出回路にて検出された負荷電圧に基づいて所定電圧値を変更する。
【００１５】
このように、チャージポンプ回路における昇圧動作を非動作状態に制御する手法は必ずしも実体のある電源制御装置に限られる必要はなく、その方法としても機能することは容易に理解できる。このため、請求項８にかかる発明は、上述した電源制御装置を実現する方法を提供するものである。すなわち、必ずしも実体のある電源制御装置に限らず、電源制御方法としても有効であることに相違はない。
【００１６】
【発明の効果】
以上説明したように本発明は、定電流制御回路にて必要となる電源電圧のみをチャージポンプ回路から出力するため、消費電力を低減させることが可能な電源制御装置を提供することができる。
また、請求項２にかかる発明によれば、負荷が非作動状態の場合にチャージポンプ回路を非動作状態に制御することができる。
さらに、請求項３にかかる発明によれば、チャージポンプ回路を非動作状態に制御するための条件の一例を提示することが可能になる。
さらに、請求項４にかかる発明によれば、負荷に採用して好適な一例を提示することができる。
さらに、請求項５にかかる発明によれば、チャージポンプ回路を非動作状態に制御するための条件を適宜変更することができる。
さらに、請求項６にかかる発明によれば、当該電源制御装置が置かれる周囲温度に応じてチャージポンプ回路を非動作状態に制御することができる。
さらに、請求項７にかかる発明によれば、負荷に印加される電圧に応じてチャージポンプ回路を非動作状態に制御することができる。
さらに、請求項８にかかる発明によれば、定電流制御回路にて必要となる電源電圧のみをチャージポンプ回路から出力するため、消費電力を低減させることが可能な電源制御方法を提供することができる。
【００１７】
【発明の実施の形態】
ここでは、下記の順序に従って本発明の実施形態について説明する。
（１）液晶ディスプレイ装置の概略構成：
（２）チャージポンプ回路の動作制御：
（３）まとめ：
【００１８】
（１）液晶ディスプレイ装置の概略構成：
図１は、本発明にかかる電源制御装置を適用する液晶ディスプレイ装置の概略構成を示した概略構成図である。同図において、液晶ディスプレイ装置１０は
液晶パネル１１と、同液晶パネル１１を駆動する液晶ドライバー回路１２と、同液晶パネル１１のバックライトを制御する液晶バックライト制御回路１３とから構成されている。これらの回路は通常、ＬＣＤモジュールとして１つのユニットにて組み込まれている。また、図示していないが、液晶ディスプレイ装置１０には、ＬＣＤモジュールの他に電源ユニットやアナログディスプレイ互換インターフェースやコントロール回路が備えられ、これらの各機器は液晶ディスプレイ用の筐体に収容されている。ここで、電源ユニットは液晶パネル１１等に電源を供給するものであり、アナログディスプレイ互換インターフェースは、当該液晶ディスプレイ装置１０が接続されるパーソナルコンピュータのビデオカードから出力されるアナログ形式の映像信号をＬＣＤモジュールにて処理可能なデジタル信号に変換する。また、コントロール回路は画面の明るさやコントラスト、表示位置調整を行う制御回路である。
【００１９】
図２は、液晶バックライト制御回路１３の概略構成を示した概略構成図である。同図において、液晶バックライト制御回路１３は、発光部１３ａと、チャージポンプ回路１３ｂと、主制御回路１３ｃとを有する構成となっている。ここで、発光部１３ａには、液晶パネル１１のバックライトとして機能する図示しないＬＥＤが備えられているとともに、チャージポンプ回路１３ｂは、この発光部１３ａが備えるＬＥＤを発光させるための電源電圧をＬＥＤに対して供給可能になっている。また、主制御回路１３ｃは、発光部１３ａのＬＥＤの発光制御や、チャージポンプ回路１３ｂ等の電源電圧の出力を制御する電源制御を実行する。
【００２０】
図３および図４は、チャージポンプ回路１３ｂの概略構成を示した概略構成図である。図において、本実施形態におけるチャージポンプ回路１３ｂは、入力電圧Ｖｉｎに対し２倍の出力電圧となる電源電圧Ｖｏｕｔを得るために２個のコンデンサＣ１，Ｃ２と、スイッチＳＷ１〜ＳＷ４を備える構成を採用している。ここで、チャージポンプ回路１３ｂの動作について説明する。スイッチＳＷ１およびスイッチＳＷ２が閉じて、スイッチＳＷ３およびスイッチＳＷ４が開いているとき、端子１３ｂ１から入力される入力電圧Ｖｉｎは、コンデンサＣ１と繋がり、コンデンサＣ１に入力電圧Ｖｉｎと等しい電圧値になる充電が行われる。一方、スイッチＳＷ１およびスイッチＳＷ２が開き、スイッチＳＷ３およびスイッチＳＷ４が閉じているときは、これまでコンデンサＣ１に充電されていた入力電圧ＶｉｎがコンデンサＣ１を持ち上げる形で繋がるため、コンデンサＣ１には入力電圧Ｖｉｎの２倍の電圧が発生する。
【００２１】
さらに、コンデンサＣ１の＋側端子は、コンデンサＣ２とスイッチＳＷ３を通して繋がるため、コンデンサＣ２には入力電圧Ｖｉｎの２倍の電圧が充電される。そして、コンデンサＣ２に充電された電荷が電源電圧Ｖｏｕｔとして端子１３ｂ２から出力される。このスイッチＳＷ１〜ＳＷ４の開閉制御は、スイッチ動作制御回路１３ｂ４によって実行される。ここで、スイッチＳＷ１〜ＳＷ４の開閉動作によってコンデンサＣ１に入力電圧Ｖｉｎを充電するとともに、このコンデンサＣ１の充電電荷をコンデンサＣ２に移動させて、コンデンサＣ２に対して電源電圧Ｖｏｕｔを入力電圧Ｖｉｎの２倍に昇圧させた電荷を充電させる動作が本発明にかかる「昇圧動作」に該当し、コンデンサＣ２に充電された電荷を電源電圧Ｖｏｕｔとして出力する動作が本発明にかかる「出力動作」に該当する。
【００２２】
また、本実施形態においては、スイッチ動作制御回路１３ｂ４は、端子１３ｂ３を介して主制御回路１３ｃよりイネーブル信号Ｅを入力可能になっている。このイネーブル信号Ｅは、当該チャージポンプ回路１３ｂの昇圧動作を制御するためのものであり、図５に示すとおり、イネーブル信号ＥがＨレベルの場合に、スイッチＳＷ１〜ＳＷ４の開閉動作を実行可能状態とし、イネーブル信号ＥがＬレベルの場合に、スイッチＳＷ１〜ＳＷ４の開閉動作を実行不可状態に制御する。すなわち、イネーブル信号ＥがＨレベルの場合、チャージポンプ回路１３ｂでは、上述した「昇圧動作」および「出力動作」がともに動作状態となり、イネーブル信号ＥがＬレベルの場合には、当該チャージポンプ回路１３ｂでは「昇圧動作」が非動作状態となる。但し、かかる場合においても「出力動作」は動作状態である。このように、本実施形態においては、イネーブル信号ＥのＨ／Ｌレベルを制御することによって、チャージポンプ回路１３ｂの動作を制御することが可能になっている。
【００２３】
本実施形態においては、チャージポンプ回路１３ｂにて「昇圧動作」が行われない状態を当該チャージポンプ回路１３ｂが「非動作状態」であると表現し、「昇圧動作」が行われる状態を当該チャージポンプ回路１３ｂが「動作状態」であると表現する。ここで、チャージポンプ回路１３ｂに接続された、同チャージポンプ回路１３ｂから電源電圧を供給されて動作する負荷に対して、定電流を流すために、チャージポンプ回路１３ｂと負荷との接続経路に定電流制御回路を配設する。そして、チャージポンプ回路１３ｂから出力される電源電圧Ｖｏｕｔに基づいて、発光部１３ａのＬＥＤ１３ａ１に定電流を供給可能な構成とする。かかる場合、定電流制御回路は、定電流を形成するに際して、供給された電源電圧Ｖｏｕｔの全電圧を使用するのではなく、この電源電圧Ｖｏｕｔのうち所定電圧範囲において動作することにより定電流を形成している。従って、この所定電圧範囲以上の電源電圧Ｖｏｕｔが供給されたとしても、エネルギー損失となっている。ここで、この所定電圧範囲は、定電流制御回路１４が出力する出力電圧より判別することが可能である。そこで、本実施形態においては、定電流制御回路が出力する出力電圧に基づいてチャージポンプ回路１３ｂを非動作状態に制御することによって低消費電力化を図ることが可能にする。
【００２４】
（２）チャージポンプ回路の動作制御：
図６は、液晶バックライト制御回路１３の内部構成を示した内部構成図である。同図においては、チャージポンプ回路１３ｂと発光部１３ａのＬＥＤ１３ａ１との接続経路に定電流制御回路１４を配設するとともに、主制御回路１３ｃに定電流制御回路１４が出力する出力電圧を検出可能な出力電圧検出回路１３ｃ１を配設する。そして、この出力電圧検出回路１３ｃ１にて定電流制御回路１４が出力する出力電圧が所定の設定電圧以上であるかを判別した場合に、イネーブル信号ＥをＬレベルに制御するとともに、出力電圧検出回路１３ｃ１にて出力電圧が所定の設定電圧未満であると判別した場合には、イネーブル信号ＥをＨレベルに制御する。従って、このとき、出力電圧が所定の設定電圧未満である場合に、チャージポンプ回路１３ｂは動作状態となり、一方、出力電圧が所定の設定電圧以上である場合は、同チャージポンプ回路１３ｂは非動作状態になる。これによって、図７に示すように、電源電圧Ｖｏｕｔは、最大出力可能電圧Ｖｍａｘより低い所定電圧Ｖ１付近にて微増微減を繰り返しつつ変化するように制御されることによって、余分な電源電圧Ｖｏｕｔが出力されないようにすることができるので、消費電力を低減することが可能になる。
【００２５】
かかる場合に主制御回路１３ｃにて行われる制御処理の処理内容を図８のフローチャートに示す。同図において、最初に出力電圧検出回路１３ｃ１にて定電流制御回路１４が出力する出力電圧値を取得する（ステップＳ１００）。そして、この出力電圧値が所定の設定電圧値以上であるか否かを判別する（ステップＳ１０５）。ここで、同出力電圧値が所定の設定電圧値以上であると判別した場合は、イネーブル信号Ｅをオフにして、Ｌレベルにすることによって、チャージポンプ回路１３ｂの昇圧動作を非動作状態に制御する（ステップＳ１１０）。一方、同出力電圧値が所定の設定電圧値未満であると判別した場合、イネーブル信号Ｅをオンにして、Ｈレベルにすることによって、チャージポンプ回路１３ｂの昇圧動作を動作状態に制御する（ステップＳ１１５）。
【００２６】
また、ＬＥＤ１３ａ１に流れる電流は、当該ＬＥＤ１３ａ１の周囲温度に応じて変動する。従って、この電流の変動に対応して定電流制御回路１４が出力する出力電圧も変動する。すなわち、定電流制御回路１４が動作する所定電圧範囲が変動する。かかる場合、主制御回路１３ｃに図示しない温度測定回路を配設し、この温度測定回路にて周囲温度を測定し、測定した周囲温度に応じて、上述した設定電圧値をリアルタイムに変更することによって、よりエネルギー損失を低減することが可能となるようにしても良い。一方、変動するＬＥＤ１３ａ１に流れる電流値を図示しない電流検出回路にて検出し、この検出した電流値に基づいて、上述した設定電圧値を変更するようにしても良い。
【００２７】
ここで、発光部１３のＬＥＤ１３ａ１は、オンオフ動作が行われる場合がある。ＬＥＤ１３ａ１がオフ動作する場合、チャージポンプ回路１３ｂとＬＥＤ１３ａ１との接続経路が切断されるため、定電流制御回路１４が出力する出力電圧は「０」になる。このとき、ＬＥＤ１３ａ１には、電源電圧Ｖｏｕｔを供給する必要が無いにもかかわらず、出力電圧は、上述してきた設定電圧以上とはならないので、チャージポンプ回路１３ｂは動作状態に制御されることになる。従って、電源電圧Ｖｏｕｔが増加することとなり、エネルギー損失が大きい。そこで、ＬＥＤ１３ａ１がオフ動作の場合には、チャージポンプ回路１３ｂを非動作状態に制御することができると好適である。
【００２８】
図９は、かかる制御を実現可能な液晶バックライト制御回路１３の内部構成を示した内部構成図である。同図においては、主制御回路１３ｃにチャージポンプ回路１３ｂとＬＥＤ１３ａ１との接続経路にスイッチ回路ＳＷ１１を配設するとともに、このスイッチ回路ＳＷ１１の開閉動作を制御するスイッチング制御回路１３ｃ２およびスイッチ回路ＳＷ１１の開閉状態を検出可能なＬＥＤオフ検出回路１３ｃ３を配設する。また、ＬＥＤオフ検出回路１３ｃ３は、チャージポンプ回路１３ｂのスイッチ動作制御回路１３ｂ４に接続されるとともに、上述したイネーブル信号Ｅをスイッチ動作制御回路１３ｂ４に出力可能になっている。このとき、当該ＬＥＤオフ検出回路１３ｃ３は、スイッチ回路ＳＷ１１がスイッチング制御回路１３ｃ２によって開動作され、ＬＥＤ１３ａ１がオフとなったことを判別した場合に、イネーブル信号ＥをＬレベルに制御するとともに、スイッチ回路ＳＷ１１がスイッチング制御回路１３ｃ２によって閉動作され、ＬＥＤ１３ａ１がオンとなった場合には、イネーブル信号ＥをＨレベルに制御する。
【００２９】
従って、図１０に示すように、ＬＥＤ１３ａ１がオンの場合に、チャージポンプ回路１３ｂは動作状態となり、一方、ＬＥＤ１３ａ１がオフの場合は、同チャージポンプ回路１３ｂは非動作状態になる。これによって、電源電圧Ｖｏｕｔは、最大出力可能電圧Ｖｍａｘより低い所定電圧Ｖ１付近にて微増微減を繰り返しつつ変化するように制御される。そして、この電源電圧Ｖｏｕｔの制御によって、ＬＥＤ１３ａ１に流れる電流は定電流を形成するようになる。このように、チャージポンプ回路１３ｂを非動作状態とする期間を設けることによって、余分な電源電圧Ｖｏｕｔが出力されないようにすることができるので、消費電力を低減することが可能になる。
【００３０】
ここで、上述した実施形態においては、発光部１３にＬＥＤ１３ａ１を配設し、このＬＥＤ１３ａ１のオンオフ動作に従ってチャージポンプ回路１３ｂの動作を制御する構成を採用したが、むろん、発光部１３ａに配設するＬＥＤの数は１つ（ＬＥＤ１３ａ１）に限定されるものではなく、図１１に示すように、２つのＬＥＤ１３ａ１，１３ａ２を配設するようにしても良いことは言うまでもない。かかる場合、ＬＥＤオフ検出回路１３ａ４は、スイッチ回路ＳＷ１１，ＳＷ１２の開閉動作に基づいてＬＥＤ１３ａ１，１３ａ２のオンオフを検出し、ＬＥＤ１３ａ１，１３ａ２の両方がオフの場合に、イネーブル信号ＥをＬレベルに制御するとともに、少なくともＬＥＤ１３ａ１，１３ａ２の何れか一方がオンの場合に、イネーブル信号ＥをＨレベルに制御することになる。
【００３１】
また、上述した実施形態においては、定電流制御回路１４の出力電圧が所定の設定電圧以上であるか否かの条件、または、ＬＥＤ１３ａ１，１３ａ２のオンオフ状態であるか否かの条件に基づいて、チャージポンプ回路１３ｂの動作を制御した。むろん、このように個別の条件によって、チャージポンプ回路１３ｂの動作を制御するようにしても良いし、適宜条件を組み合わせることによって、チャージポンプ回路１３ｂの動作を制御しても良い。ここで、図１２は、出力電圧検出回路１３ｃ１にて検出される定電流制御回路１４が出力する出力電圧と、ＬＥＤオフ検出回路１３ｃ３にて検出されるＬＥＤ１３ａ１，１３ａ２のオンオフ状態とに基づいて、チャージポンプ回路１３ｂの動作を制御可能な液晶バックライト制御回路１３の内部構成を示している。同図において、ＬＥＤオフ検出回路１３ｃ３は、制御信号Ｓ１を出力可能であり、少なくともＬＥＤ１３ａ１，１３ａ２の何れか一方がオンの場合に、制御信号Ｓ１をＨレベルに制御するとともに、ＬＥＤ１３ａ１，１３ａ２がともにオフの場合に、制御信号Ｓ１をＬレベルに制御する。
【００３２】
一方、出力電圧検出回路１３ｃ１は、制御信号Ｓ２を出力可能であり、検出した出力電圧が所定の設定電圧以上の場合に、制御信号Ｓ１をＨレベルに制御し、設定電圧未満の場合に、制御信号Ｓ１をＬレベルに制御する。そして、この制御信号Ｓ１および制御信号Ｓ２は、判別回路１３ｃ４に入力される。この判別回路１３ｃ４は、チャージポンプ回路１３ｂのスイッチ動作制御回路１３ｂ４に接続されるとともに、上述したイネーブル信号Ｅをスイッチ動作制御回路１３ｂ４に出力可能になっている。このとき、当該判別回路１３ｃ４は、図１３に示すように、制御信号Ｓ１がＬレベルであって、制御信号Ｓ２がＨレベルの場合にイネーブル信号ＥをＬレベルに制御する。これによって、電源電圧Ｖｏｕｔは、最大出力可能電圧Ｖｍａｘより低い所定電圧Ｖ１付近にて微増微減を繰り返しつつ変化するように制御される。そして、この電源電圧Ｖｏｕｔの制御によって、ＬＥＤ１３ａ１に流れる電流は定電流を形成するようになる。このように、チャージポンプ回路１３ｂを非動作状態とする期間を設けることによって、余分な電源電圧Ｖｏｕｔが出力されないようにすることができるので、消費電力を低減することが可能になる。
【００３３】
余分な電源電圧Ｖｏｕｔがチャージポンプ回路１３ｂから出力されないようにすることによって、消費電力を低減する観点においては、図１４に示すように、抵抗Ｒ２，Ｒ３を介して電源電圧Ｖｏｕｔを検出可能に電源電圧検出回路１３ｃ５を配設し、チャージポンプ回路１３ｂが出力する電源電圧Ｖｏｕｔが所定の設定電圧以上である場合に、制御信号Ｓ３をＨレベルに制御して判別回路１３ｃ４に入力するようにしても良い。かかる場合、判別回路１３ｃ４は、図１５に示すとおり、制御信号Ｓ１がＬレベルであって、制御信号Ｓ３および制御信号Ｓ４の何れか一方がＨレベルの場合にイネーブル信号ＥをＬレベルに制御する。
【００３４】
（３）まとめ：
このように、定電流制御回路１４が出力する出力電圧値を取得し、この出力電圧値が所定の設定電圧値以上であるか否かを判別する。ここで、同出力電圧値が所定の設定電圧値以上であると判別した場合は、イネーブル信号Ｅをオフにして、Ｌレベルにすることによって、チャージポンプ回路１３ｂの昇圧動作を非動作状態に制御する。一方、同出力電圧値が所定の設定電圧値未満であると判別した場合、イネーブル信号Ｅをオンにして、Ｈレベルにすることによって、チャージポンプ回路１３ｂの昇圧動作を動作状態に制御することにより、消費電力を低減することを可能にする。
【図面の簡単な説明】
【図１】本発明にかかる電源制御装置を適用する液晶ディスプレイ装置の概略構成を示した概略構成図である。
【図２】液晶バックライト制御回路の概略構成を示した概略構成図である。
【図３】チャージポンプ回路の概略構成を示した概略構成図である。
【図４】チャージポンプ回路の概略構成を示した概略構成図である。
【図５】イネーブル信号等のタイミングチャートである。
【図６】液晶バックライト制御回路の内部構成を示した内部構成図である。
【図７】イネーブル信号等のタイミングチャートである。
【図８】主制御回路における制御処理の処理内容を示したフローチャートである。
【図９】液晶バックライト制御回路の内部構成を示した内部構成図である。
【図１０】イネーブル信号等のタイミングチャートである。
【図１１】液晶バックライト制御回路の内部構成を示した内部構成図である。
【図１２】液晶バックライト制御回路の内部構成を示した内部構成図である。
【図１３】イネーブル信号等のタイミングチャートである。
【図１４】液晶バックライト制御回路の内部構成を示した内部構成図である。
【図１５】イネーブル信号等のタイミングチャートである。
【符号の説明】
１０…液晶ディスプレイ装置
１１…液晶パネル
１２…液晶ドライバー回路
１３…液晶バックライト制御回路
１３ａ…発光部
１３ａ１，１３ａ２…ＬＥＤ
１３ｂ…チャージポンプ回路
１３ｂ１〜１３ｂ３…端子
１３ｂ４…スイッチ動作制御回路
１３ｃ…主制御回路
１３ｃ１…出力電圧検出回路
１３ｃ２…スイッチング制御回路
１３ｃ３…ＬＥＤオフ検出回路
１３ｃ４…判別回路
１４…定電流制御回路
【図１】
2004166342.tif 000003
【図２】
2004166342.tif 000004
【図３】
2004166342.tif 000005
【図４】
2004166342.tif 000006
【図５】
2004166342.tif 000007
【図６】
2004166342.tif 000008
【図７】
2004166342.tif 000009
【図８】
2004166342.tif 000010
【図９】
2004166342.tif 000011
【図１０】
2004166342.tif 000012
【図１１】
2004166342.tif 000013
【図１２】
2004166342.tif 000014
【図１３】
2004166342.tif 000015
【図１４】
2004166342.tif 000016
【図１５】
2004166342.tif 000017